(57)【要約】【課題】空気調和機の内部を効果的に清浄にすることが可能な空気調和機を提供する。【解決手段】空気調和機１はクロスフローファン１２０とキャビネット１００とルーバ１１０とイオン発生器１５０と制御部１６０とを備える。制御部１６０は、キャビネット１００の内部の清掃を行なう場合には、イオンを発生させ、かつ、クロスフローファン１２０によって送出された空気が吹出口１０２からキャビネット１００の表面付近を通過して吸込口１０１から吸い込まれるようにルーバ１１０が制御される開放送風行程と、ルーバ１１０によって吹出口１０２を閉塞した状態でイオン発生器１５０にイオンを発生させ、かつ、送風運転を行なう閉塞送風行程とを順に行なうように、クロスフローファン１２０とルーバ１１０とイオン発生器１５０とを制御する。【選択図】図４
2011058724.tif 000002
【特許請求の範囲】
【請求項１】
ファンと、
前記ファンを収容し、空気を吸い込むための吸込口と前記ファンによって送出される空気を吹き出すための吹出口とを有する筐体と、
前記吹出口を開閉し、かつ、前記ファンによって送出される空気の向きを変更する風向変更部と、
前記筐体の内部でイオンを発生させるイオン発生器と、
前記ファンと前記風向変更部と前記イオン発生器とを制御する制御部とを備え、
前記制御部は、
前記筐体の内部の清掃を行なう場合には、前記イオン発生器にイオンを発生させ、かつ、前記ファンによって送出された空気が前記吹出口から前記筐体の表面付近を通過して前記吸込口から吸い込まれるように前記風向変更部が制御される開放送風行程と、前記風向変更部によって前記吹出口を閉塞した状態で前記イオン発生器にイオンを発生させ、かつ、前記ファンを駆動させて送風運転を行なう閉塞送風行程とを順に行なうように、前記ファンと前記風向変更部と前記イオン発生器とを制御する、空気調和機。
【請求項２】
使用者が前記筐体の内部の清掃を行なうことを選択するための選択部を備え、
前記制御部は、
前記選択部によって前記筐体の内部の清掃を行なうことが選択された場合には、前記ファンを駆動させて当該空気調和機が送風運転または暖房運転を行なう乾燥行程と、前記開放送風行程と、前記閉塞送風行程とを順に行なうように、前記ファンと前記風向変更部と前記イオン発生器とを制御する、請求項１に記載の空気調和機。
【請求項３】
当該空気調和機は複数の運転モードを有し、前記筐体の内部の清掃を行なうことを所定の時期に行なうことを予め設定することが可能であるように構成され、
前記複数の運転モードは、冷房運転と、暖房運転と、除湿運転と、通常送風運転と、部屋清浄運転とを含み、
前記制御部は、冷房運転または除湿運転が行なわれた後に、前記筐体の内部の清掃を行なうように設定されている場合には、前記ファンを駆動させて当該空気調和機が送風運転または暖房運転を行なう乾燥行程と、前記開放送風行程と、前記閉塞送風行程とを順に行い、
暖房運転、通常送風運転、または、部屋清浄運転が行なわれた後に、前記筐体の内部の清掃を行なうように設定されている場合には、前記開放送風行程と、前記閉塞送風行程とを順に行なうように、前記ファンと前記風向変更部と前記イオン発生器とを制御する、請求項１または請求項２に記載の空気調和機。
【発明の詳細な説明】
【技術分野】
【０００１】
この発明は空気調和機に関する。
【背景技術】
【０００２】
従来、空気調和機の内部のカビや細菌等を殺菌して清浄にする空気調和機が提案されている。
【０００３】
例えば、特許第４２２５７７３号公報（特許文献１）には、送風機の回転動作によって吸入口から空気調和機の内部に吸入された空気を排出する排出口の近傍に、プラスイオンとマイナスイオンを発生させるイオン発生装置が設けられている空気調和機が記載されている。この空気調和機では、熱交換器および圧縮機等すべての運転を停止し、送風機およびイオン発生器のみを運転させて空気調和機の内部のカビ、細菌を殺菌すべく、内部清浄を行う。このとき、ルーバの角度を制御して、排出口から排出される空気を吸入口方向へ導くことによって、イオン発生装置から発生したイオンが送風機によって外部に排出され、再度送風機により吸入口から空気調和機の内部に吸引される。
【０００４】
また、特許第４２７７１６６号公報（特許文献２）には、空気吸入口と空気吹出し口との間の位置に空気のショートサーキットを形成し得る補助開閉パネルが設けられており、補助開閉パネルを開いて補助開閉パネルと空気吹出し口との間に空気のショートサーキットが形成される状態として電気集塵器によりオゾンを発生させながら室内送風ファンを動作させる第１クリーンモードを所定時間実行した後、補助開閉パネルを閉じてマイナスイオン発生器によりオゾンを発生させながら室内送風ファンを逆回転させる第２クリーンモードを所定時間実行する空気調和機が記載されている。
【先行技術文献】
【特許文献】
【０００５】
【特許文献１】特許第４２２５７７３号公報
【特許文献２】特許第４２７７１６６号公報
【発明の概要】
【発明が解決しようとする課題】
【０００６】
しかしながら、特許第４２２５７７３号公報（特許文献１）に記載の空気調和機では、イオン発生器が排出口の近傍に配置されており、イオン発生器よりも気流の上流側に送風機が配置されている。そのため、室内機の内部において、イオン発生器よりも気流の上流側、例えば、送風機などを効果的に清浄にすることができない。
【０００７】
また、特許第４２７７１６６号公報（特許文献２）に記載の空気調和機では、第２クリーンモードにおいて室内送風ファンを逆回転させることによって、空気吸込み口に設置されているようなフィルタを通過しない空気が室内機の内部に流入する。そのため、第１クリーンモードで空気調和機の内部を清浄にしても、第２クリーンモードを実行するときに、室内機の外部の塵埃がそのまま空気調和機の内部に流入することがある。
【０００８】
そこで、この発明の目的は、空気調和機の内部を効果的に清浄にすることが可能な空気調和機を提供することである。
【課題を解決するための手段】
【０００９】
この発明に従った空気調和機は、ファンと、筐体と、風向変更部と、イオン発生器と、制御部とを備える。
【００１０】
筐体は、ファンを収容し、空気を吸い込むための吸込口とファンによって送出される空気を吹き出すための吹出口とを有するものである。風向変更部は、吹出口を開閉し、かつ、ファンによって送出される空気の向きを変更するものである。イオン発生器は、筐体の内部にイオンを発生させるものである。制御部は、ファンと風向変更部とイオン発生器とを制御するものである。
【００１１】
制御部は、筐体の内部の清掃を行なう場合には、イオン発生器にイオンを発生させ、かつ、ファンによって送出された空気が吹出口から筐体の表面付近を通過して吸込口から吸い込まれるように風向変更部が制御される開放送風行程と、風向変更部によって吹出口を閉塞した状態でイオン発生器にイオンを発生させ、かつ、ファンを駆動させて送風運転を行なう閉塞送風行程とを順に行なうように、ファンと風向変更部とイオン発生器とを制御する。
【００１２】
制御部は、例えば、使用者がリモートコントローラを操作することによって、筐体の内部の清掃を行なう。また例えば、冷房運転、暖房運転、除湿運転等の所定の運転の後に筐体の内部を清掃するように設定されていてもよい。
【００１３】
筐体の内部の清掃を行なう場合には、まず、開放送風行程では、イオン発生器にイオンを発生させ、かつ、ファンによって送出された空気が吹出口から筐体の表面付近を通過して吸込口から吸い込まれるように、いわゆる空気のショートサーキットが生じるように、風向変更部が制御される。このようにして、開放送風行程では、イオン発生器によって発生させられるイオンによって、少なくとも吸込口の近傍や、熱交換器などが清浄にされる。
【００１４】
次に、閉塞送風行程では、風向変更部によって吹出口を閉塞した状態でイオン発生器にイオンを発生させ、かつ、ファンを駆動させて送風運転を行なう。このようにして、閉塞送風行程では、イオン発生器によって発生させられるイオンによって、少なくとも、送風機や吹出口の近傍が清浄にされる。
【００１５】
このようにすることにより、空気調和機の内部を効果的に清浄にすることが可能な空気調和機を提供することができる。
この発明に従った空気調和機は、使用者が筐体の内部の清掃を行なうことを選択するための選択部を備え、制御部は、選択部によって筐体の内部の清掃を行なうことが選択された場合には、ファンを駆動させて当該空気調和機が送風運転または暖房運転を行なう乾燥行程と、開放送風行程と、閉塞送風行程とを順に行なうように、ファンと風向変更部とイオン発生器とを制御することが好ましい。
【００１６】
選択部によって筐体の内部の清掃を行うことが選択された場合には、制御部は、乾燥行程と、開放送風行程と、閉塞送風行程とを順に行うように、ファンと風向変更部とイオン発生器とを制御する。
【００１７】
まず、乾燥行程では、空気調和機が送風運転または暖房運転を行うように、ファンが駆動され、筐体の内部が乾燥される。その後、開放送風行程と、閉塞送風行程とが順に行われる。
【００１８】
このように、開放送風行程と閉塞送風行程とを行なう前に乾燥行程を行なうことによって、筐体の内部を乾燥させることができるので、筐体の内部をより清潔に保つことができる。乾燥行程において暖房運転を行なう場合には、より確実に筐体の内部を乾燥させて、筐体の内部を清潔に保つことができる。
【００１９】
この発明に従った空気調和機は、当該空気調和機は複数の運転モードを有し、筐体の内部の清掃を行なうことを所定の時期に行なうことを予め設定することが可能であるように構成され、複数の運転モードは、冷房運転と、暖房運転と、除湿運転と、通常送風運転と、部屋清浄運転とを含むことが好ましい。制御部は、冷房運転または除湿運転が行なわれた後に、筐体の内部の清掃を行なうように設定されている場合には、ファンを駆動させて当該空気調和機が送風運転または暖房運転を行なう乾燥行程と、開放送風行程と、閉塞送風行程とを順に行い、暖房運転、通常送風運転、または、部屋清浄運転が行なわれた後に、筐体の内部の清掃を行なうように設定されている場合には、開放送風行程と、閉塞送風行程とを順に行なうように、ファンと風向変更部とイオン発生器とを制御することが好ましい。
【００２０】
冷房運転後または除湿運転後には、少なくとも熱交換器には結露が生じる。そこで、冷房運転または除湿運転が行なわれた後に、筐体の内部の清掃を行なうように設定されている場合には、最初に乾燥行程を行なって筐体の内部を乾燥させてから、開放送風行程と閉塞送風行程とを行なう。このようにすることにより、筐体の内部をより清潔に保つことができる。
【００２１】
一方、暖房運転、通常送風運転、または、部屋清浄運転が行なわれた後に、筐体の内部の清掃を行なうように設定されている場合には、熱交換器や筐体の内部に結露が生じないので、乾燥行程を行なわなくてもよい。
【００２２】
このようにすることにより、運転モードに応じて、効率よく筐体の内部を清浄にすることができる。
【発明の効果】
【００２３】
以上のように、この発明によれば、空気調和機の内部を効果的に清浄にすることが可能な空気調和機を提供することができる。
【図面の簡単な説明】
【００２４】
【図１】本発明の一つの実施の形態に係る空気調和機の全体を示す斜視図である。
【図２】本発明の一つの実施の形態に係る空気調和機の内部を模式的に示す図である。
【図３】本発明の一つの実施の形態に係る空気調和機のリモートコントローラの全体を示す図である。
【図４】本発明の一つの実施の形態に係る空気調和機の制御関連の構成を示すブロック図である。
【図５】本発明の一つの実施の形態に係る空気調和機が暖房運転または送風運転されているときの状態を示す図である。
【図６】本発明の一つの実施の形態に係る空気調和機が冷房運転されているときの状態を示す図である。
【図７】本発明の一つの実施の形態に係る空気調和機がショートサーキット運転されているときの状態を示す図である。
【図８】本発明の一つの実施の形態に係る空気調和機がフィルタ清掃運転されているときの状態を示す図である。
【発明を実施するための形態】
【００２５】
以下、この発明の実施の形態を図面に基づいて説明する。
【００２６】
図１に示すように、この発明の一つの実施の形態の室内機である空気調和機１は、全体が筐体としてキャビネット１００で覆われている。キャビネット１００の内部には熱交換器やファンが収容されている。キャビネット１００の正面には吹出口が形成され、空気調和機１の運転が停止されているときには、吹出口は風向変更部としてルーバ１１０で覆われる。
【００２７】
図２に示すように、空気調和機１のキャビネット１００には、吸込口１０１と吹出口１０２とが形成されている。吸込口１０１は、キャビネット１００の最上部に形成されている。吹出口１０２は、キャビネット１００の下部において正面側に形成されている。
【００２８】
吸込口１０１の内側には、フィルタ１０３が配置されている。吹出口１０２には、ルーバ１１０が配置されている。図１と図２においては、ルーバ１１０は閉状態にされている。
【００２９】
キャビネット１００の内部には、主に、ファンとしてクロスフローファン１２０と、熱交換器１３０と、フィルタ清掃装置１４０と、イオン発生器１５０とが収容されている。クロスフローファン１２０は、キャビネット１００の内部において、上下方向のほぼ中央に配置されている。熱交換器１３０は、クロスフローファン１２０の上方と正面側に、クロスフローファン１２０との間に間隔をあけて、配置されている。フィルタ清掃装置１４０は、熱交換器１３０とキャビネット１００との間に配置されている。フィルタ清掃装置１４０は、フィルタガイド１４１と、ダクト１４２と、ダクト１４２の内部に配置されるブラシ１４３と、フィルタ１０３を移動させるフィルタ駆動装置１４４とから構成されている。クロスフローファン１２０と吹出口１０２との間には、イオン発生器１５０が配置されている。
【００３０】
フィルタ清掃装置１４０のブラシ１４３は、フィルタ１０３に接触することが可能であるように、ダクト１４２内に配置されている。ダクト１４２は、空気調和機１の排気手段（図示しない）に接続されている。フィルタ駆動装置１４４は、フィルタ１０３をフィルタガイド１４１に沿って移動させる。
【００３１】
イオン発生器１５０は正負のイオンを発生させる。イオン発生器１５０は、正負のイオンとして除菌効果を有するイオンを発生させることが好ましく、例えば、正イオンとしてＨ＋（Ｈ２Ｏ）ｍ（ｍは任意の整数）と負イオンとしてＯ２−（Ｈ２Ｏ）ｎ（ｎは任意の整数）を発生させることが好ましい。このような正イオンと負イオンとを発生させることにより、イオンによる除菌の効果を高めることができる。
【００３２】
図３に示すように、空気調和機１（図１、図２）のリモートコントローラ２００には、少なくとも、使用者がキャビネット１００の内部の清掃を行なうことを選択するための選択部として内部清掃ボタン２１０と、使用者がフィルタ１０３の清掃を行なうことを選択するための選択部としてフィルタ清掃ボタン２２０が配置されている。使用者は内部清掃ボタン２１０を押して、キャビネット１００の内部の清掃を行なうことを選択することができる。また使用者は、フィルタ清掃ボタン２２０を押して、フィルタ１０３の清掃を行うことを選択することができる。
【００３３】
図４に示すように、空気調和機１は、制御関連の構成として、内部清掃ボタン２１０とフィルタ清掃ボタン２２０とを含むリモートコントローラ２００と、制御部１６０と、ルーバモータ１１１と、ファンモータ１２１と、冷凍サイクル１３１と、フィルタ清掃装置１４０のフィルタ駆動装置１４４と、ブラシモータ１４５と、イオン発生器１５０とを備える。ルーバモータ１１１は、ルーバ１１０（図２）を駆動させる。ファンモータ１２１は、クロスフローファン１２０（図２）を駆動させる。冷凍サイクル１３１は、熱交換器１３０（図２）の温度を調節する。
【００３４】
使用者がリモートコントローラ２００を操作すると、制御部１６０に信号が送信される。リモートコントローラ２００から送信された信号を受信した制御部１６０は、リモートコントローラ２００から送信された信号の内容に基づいて、ルーバモータ１１１と、ファンモータ１２１と、冷凍サイクル１３１と、フィルタ駆動装置１４４と、ブラシモータ１４５と、イオン発生器１５０とに制御信号を送信し、以下に説明するように、これらの部材を制御する。
【００３５】
以上のように構成された空気調和機１の動作について説明する。空気調和機１は、暖房運転、冷房運転、通常送風運転、除湿運転、部屋清浄運転の複数の運転モードを有する。また、ショートサーキット運転を行なうことができる。
【００３６】
まず、図１から図５を用いて、暖房運転について説明する。空気調和機１の暖房運転を行うように、使用者がリモートコントローラ２００を操作した場合には、制御部１６０は、冷凍サイクル１３１に制御信号を送信して、冷凍サイクル１３１を駆動し、熱交換器１３０の温度を上昇させるように制御する。制御部１６０は同時に、ルーバモータ１１１に制御信号を送信して、ルーバ１１０の下端とキャビネット１００との間において吹出口１０２が開放されるように制御する。また、制御部１６０は、ファンモータ１２１に制御信号を送信して、クロスフローファン１２０の回転によって空気が送出されるように制御する。
【００３７】
このようにすることにより、熱交換器１３０で加熱された暖かい空気がクロスフローファン１２０によって吹出口１０２から吹き出される。ルーバ１１０は、下端において吹出口１０２を開放しているので、暖かい空気は下方向に送出される。なお、暖房運転時には、熱交換器１３０には結露はしない。
【００３８】
空気調和機１の通常送風運転を行うように、使用者がリモートコントローラ２００を操作した場合にも、暖房運転と同様に、ルーバモータ１１１とファンモータ１２１とが駆動される。しかし、通常送風運転においては、冷凍サイクル１３１は駆動されず、吸込口１０１からキャビネット１００内に吸い込まれた空気は、そのまま加熱されずに吹出口１０２から送出される。なお、通常送風運転時においては、冷凍サイクル１３１は駆動されないため、熱交換器１３０に結露はしない。
【００３９】
部屋清浄運転においても、上述の通常送風運転が行なわれる。部屋清浄運転においては、通常送風運転が行なわれながら、イオン発生器１５０が駆動されて、吹出口１０２から送出される空気にイオンが含まれる。なお、部屋清浄運転時においては、冷凍サイクル１３１は駆動されないため、熱交換器１３０に結露はしない。
【００４０】
次に、図１から図４と図６とを用いて、冷房運転と除湿運転について説明する。冷房運転と除湿運転は、略同様の運転であるので、冷房運転について説明する。空気調和機１の冷房運転を行うように、使用者がリモートコントローラ２００を操作した場合には、制御部１６０は、冷凍サイクル１３１に制御信号を送信して、冷凍サイクル１３１を駆動し、熱交換器１３０の温度を低下させるように制御する。制御部１６０は同時に、ルーバモータ１１１に制御信号を送信して、ルーバ１１０の上端とキャビネット１００との間において吹出口１０２が開放されるように制御する。また、制御部１６０は、ファンモータ１２１に制御信号を送信して、クロスフローファン１２０の回転によって空気が送出されるように制御する。また制御部１６０はファンモータ１２１に制御信号を送信して、クロスフローファン１２０の回転によって空気が送出されるように制御する。
【００４１】
このようにすることにより、熱交換器１３０で冷却された冷たい空気がクロスフローファン１２０によって吹出口１０２から吹き出される。ルーバ１１０は、上端において吹出口１０２を開放しているので、冷たい空気は上方向に、空気調和対象室の天井に向かって送出される。なお、冷房運転時、除湿運転時には、熱交換器１３０の温度が低いために熱交換器１３０に結露が発生する。
【００４２】
次に、図１から図４と図７とを用いて、ショートサーキット運転について説明する。ショートサーキット運転を行うときには、制御部１６０は、ルーバモータ１１１に制御信号を送信して、ルーバ１１０の上端において吹出口１０２が開放されるように制御する。このとき、冷房運転時よりも吹出口１０２は狭く開放される。また制御部１６０はファンモータ１２１に制御信号を送信して、クロスフローファン１２０の回転によって空気が送出されるように制御する。
【００４３】
このようにすることにより、吹出口１０２から送出された空気は、吹出口１０２からキャビネット１００の表面付近を通過して吸込口１０１から吸い込まれる、いわゆるショートサーキットを形成する。
【００４４】
次に、使用者がリモートコントローラ２００の内部清掃ボタン２１０を操作して、空気調和機１のキャビネット１００の内部を清掃することを選択した場合の空気調和機１の内部清掃運転について、図１から図７を用いて説明する。
【００４５】
空気調和機１の運転が停止されているときに、使用者が内部清掃ボタン２１０を押した場合には、まず、乾燥行程が行われる。乾燥行程としては、制御部１６０はイオン発生器１５０に制御信号を送信してイオンを発生させ、同時に、上述の暖房運転または通常送風運転が行われる。乾燥行程では、イオンを発生させながら、暖房運転または通常送風運転が３０分間、行われる。キャビネット１００の外周面上に配置される表示部やリモートコントローラ２００上の表示部に内部清掃運転の残時間を表示する場合には、制御部１６０が表示部に残時間を表示するように制御する。なお、乾燥行程は、イオン発生器１５０を駆動させずに行ってもよい。
【００４６】
乾燥行程においては、例えば外気の温度が２４℃以下の場合には暖房運転を行い、外気の温度が２４℃よりも高い場合には通常送風運転を行う。乾燥行程において暖房運転を行う場合には、３０分経過後、制御部１６０が冷凍サイクル１３１に制御信号を送信して、冷凍サイクル１３１の駆動を停止させ、熱交換器１３０の加熱を停止させる。
【００４７】
次に、開放送風行程が行われる。開放送風行程としては、イオン発生器１５０が駆動されたまま、上述のショートサーキット運転が５分間行われる。
【００４８】
最後に、閉塞送風行程が行われる。閉塞送風行程としては、イオン発生器１５０とクロスフローファン１２０が駆動されたまま、ルーバ１１０を閉じるように、制御部１６０がルーバモータ１１１に制御信号を送信する。閉塞送風行程は５分間、行われる。
【００４９】
その後、制御部１６０はファンモータ１２１とイオン発生器１５０に制御信号を送信し、クロスフローファン１２０とイオン発生器１５０の駆動を停止させる。制御部１６０は、キャビネット１００の外周面上に配置される表示部やリモートコントローラ２００上の表示部に内部清掃運転の残時間を表示する場合には、表示される残時間を０時間にする。
【００５０】
このようにして、合計４０分間でキャビネット１００の内部の清掃が行われる。閉塞送風行程を行なうことにより、従来のショートサーキット運転のみを行なう場合と比較して、吹出口１０２の周辺やルーバ１１０の裏面の除菌、防カビ、脱臭をより確実に行なうことができる。
【００５１】
また、暖房運転、通常送風運転、部屋清浄運転の停止後にキャビネット１００の内部の清掃を行うことが予め設定されている場合に、暖房運転、通常送風運転、部屋清浄運転が停止された場合には、運転停止の直前に行われていた暖房運転、通常送風運転、部屋清浄運転などが乾燥行程の代わりになる。これは、暖房運転においては熱交換器１３０に結露することがなく、通常送風運転と部屋清浄運転においては冷凍サイクル１３１を駆動させないので、暖房運転、通常送風運転、部屋清浄運転において熱交換器１３０やキャビネット１００内が十分に乾燥するためである。そこで、内部清掃運転を行なう直前まで暖房運転、冷房運転、または、除湿運転が行なわれていた場合には、これらの運転の停止後、改めて乾燥行程が行われることなく、開放送風行程が３０分間行われる。続けて、閉塞送風行程が５分間、行われた後、空気調和機１の運転が停止される。このようにして、暖房運転や通常送風運転の運転停止後、合計３５分間でキャビネット１００の内部の清掃が行われる。
【００５２】
また、内部清浄運転を行なう直前まで部屋清浄運転が行なわれていた場合には、部屋清浄運転の停止後、改めて乾燥行程が行われることなく、開放送風行程が１０分間行われる。続けて、閉塞送風行程が５分間、行われた後、空気調和機１の運転が停止される。このようにして、部屋清浄運転の運転停止後、合計１５分間でキャビネット１００の内部の清掃が行なわれる。
【００５３】
一方、冷房運転、除湿運転の停止後にキャビネット１００の内部の清掃を行なうことが予め設定されている場合に、冷房運転、除湿運転が停止された場合には、乾燥行程が行なわれる。これは、冷房運転と除湿運転では熱交換器１３０に結露が発生しており、キャビネット１００内も湿っている可能性があるので、キャビネット１００内を十分に乾燥させる必要があるためである。
【００５４】
そこで、内部清浄運転を行なう直前まで冷房運転または除湿運転が行なわれていた場合には、これらの運転の停止後、まず乾燥行程を３０分間行なう。その後、開放送風行程が５分間行なわれる。続けて、閉塞送風行程が５分間行なわれた後、空気調和機１の運転が停止される。このようにして、冷房運転または除湿運転の運転停止後、合計４０分間でキャビネット１００の内部の清掃が行なわれる。
【００５５】
内部清掃運転に加えてフィルタ清掃装置１４０によるフィルタ清掃運転を行う場合には、後述するフィルタ清掃運転が行われる。フィルタ清掃運転は、内部清掃運転の前に行われてもよいし、内部清掃運転の後に行われてもよい。ただし、内部清掃運転の前にフィルタ清掃運転を行い、内部清掃運転の前にフィルタ１０３を清掃することによって、清掃されたキャビネット１００の内部にフィルタ１０３に付着している塵埃が落下することを防ぐことができる。
【００５６】
以上のように、空気調和機１は、クロスフローファン１２０と、キャビネット１００と、ルーバ１１０と、イオン発生器１５０と、内部清掃ボタン２１０と、制御部１６０とを備える。
【００５７】
キャビネット１００は、クロスフローファン１２０を収容し、空気を吸い込むための吸込口１０１とクロスフローファン１２０によって送出される空気を吹き出すための吹出口１０２とを有するものである。ルーバ１１０は、吹出口１０２を開閉し、かつ、クロスフローファン１２０によって送出される空気の向きを変更するものである。イオン発生器１５０は、キャビネット１００の内部にイオンを発生させるものである。内部清掃ボタン２１０は、使用者がキャビネット１００の内部の清掃を行なうことを選択するためのものである。制御部１６０は、クロスフローファン１２０とルーバ１１０とイオン発生器１５０とを制御するものである。
【００５８】
制御部１６０は、内部の清掃を行なう場合には、クロスフローファン１２０を駆動させて、空気調和機１が、イオン発生器１５０にイオンを発生させ、かつ、クロスフローファン１２０によって送出された空気が吹出口１０２からキャビネット１００の表面付近を通過して吸込口１０１から吸い込まれるようにルーバ１１０が制御される開放送風行程と、ルーバ１１０によって吹出口１０２を閉塞した状態でイオン発生器１５０にイオンを発生させ、かつ、クロスフローファン１２０を駆動させて送風運転を行なう閉塞送風行程とを順に行なうように、クロスフローファン１２０とルーバ１１０とイオン発生器１５０とを制御する。
【００５９】
また、制御部１６０は、内部清掃ボタン２１０によってキャビネット１００の内部の清掃を行なうことが選択された場合には、クロスフローファン１２０を駆動させて当該空気調和機１が通常送風運転または暖房運転を行なう乾燥行程と、イオン発生器１５０にイオンを発生させ、かつ、クロスフローファン１２０によって送出された空気が吹出口１０２からキャビネット１００の表面付近を通過して吸込口１０１から吸い込まれるようにルーバ１１０が制御される開放送風行程と、ルーバ１１０によって吹出口１０２を閉塞した状態でイオン発生器１５０にイオンを発生させ、かつ、クロスフローファン１２０を駆動させて送風運転を行なう閉塞送風行程とを順に行なうように、クロスフローファン１２０とルーバ１１０とイオン発生器１５０とを制御する。
【００６０】
このように、空気調和機１は、冷房運転、暖房運転、除湿運転、通常送風運転、部屋清浄運転の複数の運転モードを有する。制御部１６０は、冷房運転または除湿運転が行われた後に、キャビネット１００の内部の清掃を行なうように設定されている場合は、クロスフローファン１２０を駆動させて空気調和機１が送風運転または暖房運転を行なう乾燥行程と、イオン発生器１５０にイオンを発生させ、かつ、クロスフローファン１２０によって送出された空気が吹出口１０２からキャビネット１００の表面付近を通過して吸込口１０１から吸い込まれるようにルーバ１１０が制御される開放送風行程と、ルーバ１１０によって吹出口１０２を閉塞した状態でイオン発生器１５０にイオンを発生させ、かつ、クロスフローファン１２０を駆動させて送風運転を行なう閉塞送風行程とを順に行なう。
【００６１】
一方、暖房運転または通常送風運転または部屋清浄運転が行われた後に、筐体の内部の清掃を行なうように設定されている場合は、開放送風行程と、閉塞送風行程とを順に行なうように、クロスフローファン１２０とルーバ１１０とイオン発生器１５０とを制御する。暖房運転、通常送風運転、部屋清浄運転が停止された場合には、運転停止の直前に行われていた暖房運転、通常送風運転、部屋清浄運転が乾燥行程の代わりになる。
【００６２】
このように、開放送風行程と閉塞送風行程とを行なう前に乾燥行程を行なうことによって、キャビネット１００の内部を乾燥させることができるので、キャビネット１００の内部をより清潔に保つことができる。乾燥行程において暖房運転を行なう場合には、より確実にキャビネット１００の内部を乾燥させて、キャビネット１００の内部を清潔に保つことができる。
【００６３】
特に、冷房運転後または除湿運転後には、少なくとも熱交換器１３０には結露が生じる。そこで、冷房運転または除湿運転が行なわれた後に、キャビネット１００の内部の清掃を行なうように設定されている場合には、最初に乾燥行程を行なってキャビネット１００の内部を乾燥させてから、開放送風行程と閉塞送風行程とを行なう。このようにすることにより、キャビネット１００の内部をより清潔に保つことができる。
【００６４】
一方、暖房運転、通常送風運転、または、部屋清浄運転が行なわれた後に、キャビネット１００の内部の清掃を行なうように設定されている場合には、熱交換器１３０やキャビネット１００の内部に結露が生じないので、乾燥行程を行なわなくてもよい。
【００６５】
このようにすることにより、運転モードに応じて、効率よくキャビネット１００の内部を清浄にすることができる。
【００６６】
内部清掃ボタン２１０によってキャビネット１００の内部の清掃を行うことが選択された場合には、制御部１６０は、乾燥行程と、開放送風行程と、閉塞送風行程とを順に行うように、クロスフローファン１２０とルーバ１１０とイオン発生器１５０とを制御する。
【００６７】
まず、乾燥行程では、空気調和機１が通常送風運転または暖房運転を行うように、クロスフローファン１２０が駆動され、キャビネット１００の内部が乾燥される。
【００６８】
次に、開放送風行程では、イオン発生器１５０にイオンを発生させ、かつ、クロスフローファン１２０によって送出された空気が吹出口１０２からキャビネット１００の表面付近を通過して吸込口１０１から吸い込まれるように、いわゆる空気のショートサーキットが生じるように、ルーバ１１０が制御される。このようにして、開放送風行程では、イオン発生器１５０によって発生させられるイオンによって、少なくとも吸込口１０１の近傍や、熱交換器１３０などが清浄にされる。
【００６９】
最後に、閉塞送風行程では、ルーバ１１０によって吹出口１０２を閉塞した状態でイオン発生器１５０にイオンを発生させ、かつ、クロスフローファン１２０を駆動させて送風運転を行なう。このようにして、閉塞送風行程では、イオン発生器１５０によって発生させられるイオンによって、少なくとも、送風機や吹出口１０２の近傍が清浄にされる。
【００７０】
このように、閉塞送風行程を行うことにより、従来のショートサーキット運転だけの場合よりも、吹出口１０２周辺やルーバ１１０の裏面の除菌、防カビ、脱臭をより確実に行うことができ、空気調和機１の内部を効果的に清浄にすることが可能な空気調和機１を提供することができる。
【００７１】
次に、図１から図４と図８とを用いて、フィルタ清掃装置１４０によるフィルタ清掃運転について説明する。
【００７２】
冷房運転や暖房運転や除湿運転の後にフィルタ清掃運転を行うように予め設定されており、空気調和機１のフィルタ１０３の清掃を行う場合には、制御部１６０はイオン発生器１５０に制御信号を送信して、イオンを発生させながら、上述のショートサーキット運転を５分間、行わせる。このようにすることにより、吸込口１０１の近傍のフィルタ１０３や熱交換器１３０がイオンによって清浄にされる。同時に、フィルタ１０３に付着している塵埃が除電される。
【００７３】
また、空気調和機１のフィルタ１０３の清掃を行うように、使用者がリモートコントローラ２００のフィルタ清掃ボタン２２０を操作した場合にも、制御部１６０はイオン発生器１５０に制御信号を送信して、イオンを発生させながら、上述のショートサーキット運転を５分間、行わせる。このようにすることにより、吸込口１０１の近傍のフィルタ１０３や熱交換器１３０がイオンによって清浄にされる。同時に、フィルタ１０３に付着している塵埃が除電される。
【００７４】
次に、制御部１６０は、ルーバモータ１１１に制御信号を送信してルーバ１１０を閉じ、ファンモータ１２１に制御信号を送信してクロスフローファン１２０の駆動を停止させる。次に、制御部１６０はフィルタ駆動装置１４４に制御信号を送信して、フィルタ１０３を移動させ、ブラシモータ１４５に制御信号を送信してブラシ１４３を回転させるように制御する。
【００７５】
フィルタ駆動装置１４４によってフィルタ１０３がフィルタガイド１４１に沿って移動され、ブラシ１４３が回転されると、ブラシ１４３がフィルタ１０３の表面をこすり、フィルタ１０３から塵埃が取り除かれる。フィルタ１０３から取り除かれた塵埃は、ダクト１４２内に集められる。ダクト１４２は排気ファン（図示しない）に接続されており、排気ファンによって発生する空気流によって空気調和対象室の外に排出される。
【００７６】
フィルタ１０３の前端部から後端部まで清掃されたら、フィルタ駆動装置１４４を逆転させて、元の位置にフィルタ１０３を戻す。
【００７７】
以上のように、空気調和機１は、クロスフローファン１２０と、キャビネット１００と、フィルタ１０３と、フィルタ清掃装置１４０と、ルーバ１１０と、イオン発生器１５０と、フィルタ清掃ボタン２２０と、制御部１６０とを備える。
【００７８】
キャビネット１００は、クロスフローファン１２０を収容し、空気を吸い込むための吸込口１０１とクロスフローファン１２０によって送出される空気を吹き出すための吹出口１０２とを有するものである。フィルタ１０３は、キャビネット１００の内部に配置される。フィルタ清掃装置１４０は、フィルタ１０３を清掃するものである。ルーバ１１０は、吹出口１０２を開閉し、かつ、クロスフローファン１２０によって送出される空気の向きを変更するものである。イオン発生器１５０は、キャビネット１００の内部にイオンを発生させるものである。フィルタ清掃ボタン２２０は、使用者がフィルタ１０３の清掃を行なうことを選択するためのものである。制御部１６０は、クロスフローファン１２０とフィルタ清掃装置１４０とルーバ１１０とイオン発生器１５０とを制御する。
【００７９】
制御部１６０は、冷房運転や暖房運転や除湿運転の後にフィルタ清掃運転を行うように予め設定されており、空気調和機１のフィルタ１０３の清掃を行なう場合や、フィルタ清掃ボタン２２０によってフィルタ１０３の清掃を行なうことが選択された場合には、空気調和機１のフィルタ１０３の清掃を行う場合やイオン発生器１５０にイオンを発生させ、かつ、クロスフローファン１２０によって送出された空気が吹出口１０２からキャビネット１００の表面付近を通過して吸込口１０１から吸い込まれてフィルタ１０３を通過するようにルーバ１１０が制御されるイオン送風行程と、フィルタ清掃装置１４０がフィルタ１０３を清掃するフィルタ清掃行程とを順に行なうように、クロスフローファン１２０とフィルタ清掃装置１４０とルーバ１１０とイオン発生器１５０とを制御する。
【００８０】
冷房運転や暖房運転や除湿運転の後にフィルタ清掃運転を行うように予め設定されており、空気調和機１のフィルタ１０３の清掃を行う場合やフィルタ清掃ボタン２２０によってフィルタ１０３の清掃を行うことが選択された場合には、制御部１６０は、イオン送風行程と、フィルタ清掃行程とを順に行うように、クロスフローファン１２０とフィルタ清掃装置１４０とルーバ１１０とイオン発生器１５０とを制御する。
【００８１】
まず、イオン送風行程では、イオン発生器１５０にイオンを発生させ、かつ、クロスフローファン１２０によって送出された空気が吹出口１０２からキャビネット１００の表面付近を通過して吸込口１０１から吸い込まれるように、いわゆる空気のショートサーキットが生じるように、ルーバ１１０が制御される。このようにして、イオン送風行程では、イオン発生器１５０によって発生させられるイオンによって、少なくともフィルタ１０３とフィルタ１０３に付着している塵埃とが除電される。
【００８２】
次に、フィルタ清掃行程では、フィルタ清掃装置１４０を駆動させて、フィルタ１０３を清掃する。フィルタ清掃行程の前にイオン送風行程が行われることによって、フィルタ１０３とフィルタ１０３に付着している塵埃が除電されている。そのため、フィルタ清掃行程において、フィルタ清掃装置１４０は、フィルタ１０３に付着している塵埃をフィルタ１０３から除去しやすい。
【００８３】
このようにすることにより、空気調和機１のフィルタ１０３を効果的に清浄にすることが可能な空気調和機１を提供することができる。
【００８４】
なお、この実施の形態においては、開放送風行程としてキャビネット１００の表面付近を通過して吸込口１０１から吸い込まれるショートサーキット運転を行っているが、キャビネット１００内にショートサーキット用の風路を設けておき、キャビネット１００の内部でショートサーキットを行う構成であってもよい。すなわち、キャビネット１００の前面パネルの内面側に沿って、吹出口１０２から吸込口１０１に至るショートサーキット用の風路が設けられる。この風路は、冷暖房運転などを行う際には、ダンパにより閉じられており、ショートサーキットを行うときだけダンパが開き、イオンを含む空気が、吹出口１０２から風路を通って、吸込口１０１の内側に吹出される。そして、フィルタ１０３を通って再び吹出口１０２に達する空気の流れが形成される。このように、ルーバ１１０を開放せずにショートサーキット運転を行うことができ、これをもって、開放送風行程としてもよい。あるいは、キャビネット１００の内部で空気のショートサーキットを生じさせる場合には、イオン送風行程において、制御部１６０がクロスフローファン１２０を逆回転させるようにしてもよい。クロスフローファン１２０を逆回転させると、キャビネット１００の内部において空気が吸込口１０１の方向に流れて、フィルタ１０３を通過し、吸込口１０１からキャビネット１００の外部に流出する。吸込口１０１から流出した空気は、キャビネット１００の表面付近を通過して吹出口１０２から吸い込まれる。これをもって、開放送風行程としてもよい。
【００８５】
また、この実施の形態においては、フィルタ清掃装置１４０がキャビネット１００に固定され、フィルタ１０３を移動させてフィルタ清掃を行っているが、フィルタ１０３を移動させずに、フィルタ清掃装置１４０を移動させるように構成されている空気調和機にも適用することができる。
【００８６】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００８７】
１：空気調和機、１００：キャビネット、１０１：吸込口、１０２：吹出口、１１０：ルーバ、１２０：クロスフローファン、１５０：イオン発生器、１６０：制御部、２１０：内部清掃ボタン。
【図１】
2011058724.tif 000003
【図２】
2011058724.tif 000004
【図３】
2011058724.tif 000005
【図４】
2011058724.tif 000006
【図５】
2011058724.tif 000007
【図６】
2011058724.tif 000008
【図７】
2011058724.tif 000009
【図８】
2011058724.tif 000010